(57)【要約】【課題】プロジェクタにおいて、不正使用を防止して盗難を防止すると共に、ユーザによる操作負担を軽減し、製造コストを低減させる。【解決手段】制御部は、盗難防止機能がオン状態であるか否かを判断し（Ｓ２１）、盗難防止機能がオン状態である場合（Ｓ２２でＹＥＳ）、ユーザにパスワードの入力を促した後（Ｓ２３）、ユーザにより入力されたパスワードとメモリに記憶されているパスワードとを比較する（Ｓ２４）。この結果、パスワードが一致している場合（Ｓ２５でＹＥＳ）、ユーザに台形補正値の変更入力を許可し（Ｓ２６）、ユーザにより変更したい台形補正値が入力される。一方、上記２４の比較の結果、パスワードが一致していない場合（Ｓ２５でＮＯ）、制御部は、メモリに記憶された起動パスワード要求フラグをオンにした後（Ｓ２７）、プロジェクタ１をシャットダウンし、装置本体の電源をオフ状態にする（Ｓ２８）。【選択図】図５
2008225594.tif 000002
【特許請求の範囲】
【請求項１】
画像投影用の光を出射する光源と、
前記光源から出射された光を用いて、コンピュータ等から出力された画像データに基づく画像を生成する画像形成素子と、
前記画像形成素子により形成された画像を投影する画像投影手段と、
装置の正当な使用者か否かを判断するためのパスワードと、前記画像投影手段から投影する画像を装置本体の傾きに応じて補正するための台形補正値と、装置起動時にユーザにパスワード入力を求めるか否かの情報である起動パスワード要求フラグとを記憶する記憶手段と、
ユーザによって操作されることにより、パスワードの入力や、前記台形補正値の入力や、前記台形補正値を変更するときにパスワードの入力を求める盗難防止機能のオン／オフ状態の切換えを装置に指示するための指示入力等を行うための操作手段と、
装置各部を制御する制御手段とを備えるプロジェクタにおいて、
前記制御手段は、
装置起動時に、前記記憶手段に記憶された起動パスワード要求フラグがオンかオフかをチェックし、起動パスワード要求フラグがオンのときに、ユーザにパスワードの入力を促した後、ユーザにより入力されたパスワードと前記記憶手段に記憶されているパスワードとを比較し、
これらのパスワードが一致している場合、ユーザに装置の使用を許可し、
これらのパスワードが一致していない場合、装置本体の電源をオフ状態にし、
前記盗難防止機能がオン状態であって、かつ、ユーザが前記記憶手段に記憶された台形補正値の変更処理の開始を前記操作手段により指示したときに、ユーザにパスワードの入力を促した後、ユーザにより入力されたパスワードと前記記憶手段に記憶されているパスワードとを比較し、
これらのパスワードが一致している場合、ユーザに前記台形補正値の変更入力を許可し、
これらのパスワードが一致していない場合、前記記憶手段に記憶された起動パスワード要求フラグをオンにした後、装置本体の電源をオフ状態にすることを特徴とするプロジェクタ。
【請求項２】
画像投影用の光を出射する光源と、
前記光源から出射された光を用いて、コンピュータ等から出力された画像データに基づく画像を生成する画像形成素子と、
前記画像形成素子により形成された画像を投影する画像投影手段と、
装置の正当な使用者か否かを判断するためのパスワードと、前記画像投影手段から投影する画像を調整するための調整値とを記憶する記憶手段と、
ユーザによって操作されることにより、パスワードの入力や、前記調整値の入力を行うための操作手段と、
装置各部を制御する制御手段とを備えるプロジェクタにおいて、
前記制御手段は、ユーザが前記記憶手段に記憶された調整値の変更処理の開始を前記操作手段により指示したときに、ユーザにより入力されたパスワードと前記記憶手段に記憶されているパスワードとを比較し、
これらのパスワードが一致している場合、ユーザに前記調整値の変更入力を許可することを特徴とするプロジェクタ。
【請求項３】
前記操作手段は、前記調整値を変更するときにパスワードの入力を求める盗難防止機能のオン／オフ状態の切換えを装置に指示するための指示入力に用いることができ、
前記制御手段は、前記盗難防止機能がオン状態であって、かつ、ユーザが前記記憶手段に記憶された調整値の変更処理の開始を前記操作手段により指示したときに、ユーザにパスワードの入力を促した後、ユーザにより入力されたパスワードと前記記憶手段に記憶されているパスワードとを比較し、
これらのパスワードが一致している場合、ユーザに前記調整値の変更入力を許可することを特徴とする請求項２に記載のプロジェクタ。
【発明の詳細な説明】
【技術分野】
【０００１】
本発明は、プロジェクタに関し、特に盗難防止技術に関する。
【背景技術】
【０００２】
近年、比較的小型で持ち運びが容易なプロジェクタが普及している。しかし、この種のプロジェクタは持ち運びが容易であるため盗難されることがある。そのため、プロジェクタの起動時にユーザにパスワード入力を促し、入力されたパスワードと予め設定されたパスワードとが一致する場合に限り、プロジェクタの操作を許可することができる機能を有するプロジェクタが知られている（例えば、特許文献１及び特許文献２参照）。これらのプロジェクタは、盗難されても使用することができないため不正使用を防止することができ、盗難防止に役立っている。しかし、これらのプロジェクタでは、起動時毎にユーザがパスワードを入力しなければならないので、ユーザにとって操作が煩雑であるという問題がある。
【０００３】
上記問題に対して、特許文献３及び特許文献４には、装置本体の設置姿勢を検出する角度センサを備え、予め設定されている角度と、使用時に角度センサにより検出された角度とが異なるときに、ユーザにパスワードの入力を促すことにより不正使用を防止するプロジェクタが開示されている。しかし、このプロジェクタでは、プロジェクタの設置姿勢を検出するための角度センサを備える必要があるので、プロジェクタの製造コストが高くなるという問題がある。
【０００４】
【特許文献１】特開２００６−１８９８８８号公報
【特許文献２】特開２００６−２３５０００号公報
【特許文献３】特開２００６−３０８８２６号公報
【特許文献４】特開２００５−３０１１７７号公報
【発明の開示】
【発明が解決しようとする課題】
【０００５】
本発明は、上記問題を解決するためになされたものであり、不正使用を防止して盗難を防止すると共に、ユーザによる操作負担を軽減し、製造コストを低減させることができるプロジェクタを提供することを目的とする。
【課題を解決するための手段】
【０００６】
上記目的を達成するために請求項１の発明は、画像投影用の光を出射する光源と、前記光源から出射された光を用いて、コンピュータ等から出力された画像データに基づく画像を生成する画像形成素子と、前記画像形成素子により形成された画像を投影する画像投影手段と、装置の正当な使用者か否かを判断するためのパスワードと、前記画像投影手段から投影する画像を装置本体の傾きに応じて補正するための台形補正値と、装置起動時にユーザにパスワード入力を求めるか否かの情報である起動パスワード要求フラグとを記憶する記憶手段と、ユーザによって操作されることにより、パスワードの入力や、前記台形補正値の入力や、前記台形補正値を変更するときにパスワードの入力を求める盗難防止機能のオン／オフ状態の切換えを装置に指示するための指示入力等を行うための操作手段と、装置各部を制御する制御手段とを備えるプロジェクタにおいて、前記制御手段は、装置起動時に、前記記憶手段に記憶された起動パスワード要求フラグがオンかオフかをチェックし、起動パスワード要求フラグがオンのときに、ユーザにパスワードの入力を促した後、ユーザにより入力されたパスワードと前記記憶手段に記憶されているパスワードとを比較し、これらのパスワードが一致している場合、ユーザに装置の使用を許可し、これらのパスワードが一致していない場合、装置本体の電源をオフ状態にし、前記盗難防止機能がオン状態であって、かつ、ユーザが前記記憶手段に記憶された台形補正値の変更処理の開始を前記操作手段により指示したときに、ユーザにパスワードの入力を促した後、ユーザにより入力されたパスワードと前記記憶手段に記憶されているパスワードとを比較し、これらのパスワードが一致している場合、ユーザに前記台形補正値の変更入力を許可し、これらのパスワードが一致していない場合、前記記憶手段に記憶された起動パスワード要求フラグをオンにした後、装置本体の電源をオフ状態にするものである。
【０００７】
請求項２の発明は、画像投影用の光を出射する光源と、前記光源から出射された光を用いて、コンピュータ等から出力された画像データに基づく画像を生成する画像形成素子と、前記画像形成素子により形成された画像を投影する画像投影手段と、装置の正当な使用者か否かを判断するためのパスワードと、前記画像投影手段から投影する画像を調整するための調整値とを記憶する記憶手段と、ユーザによって操作されることにより、パスワードの入力や、前記調整値の入力を行うための操作手段と、装置各部を制御する制御手段とを備えるプロジェクタにおいて、前記制御手段は、ユーザが前記記憶手段に記憶された調整値の変更処理の開始を前記操作手段により指示したときに、ユーザにより入力されたパスワードと前記記憶手段に記憶されているパスワードとを比較し、これらのパスワードが一致している場合、ユーザに前記調整値の変更入力を許可するものである。
【０００８】
請求項３の発明は、請求項２に記載のプロジェクタにおいて、前記操作手段は、前記調整値を変更するときにパスワードの入力を求める盗難防止機能のオン／オフ状態の切換えを装置に指示するための指示入力に用いることができ、前記制御手段は、前記盗難防止機能がオン状態であって、かつ、ユーザが前記記憶手段に記憶された調整値の変更処理の開始を前記操作手段により指示したときに、ユーザにパスワードの入力を促した後、ユーザにより入力されたパスワードと前記記憶手段に記憶されているパスワードとを比較し、これらのパスワードが一致している場合、ユーザに前記調整値の変更入力を許可するものである。
【発明の効果】
【０００９】
請求項１の発明によれば、制御手段は、盗難防止機能がオン状態であって、かつ、ユーザが記憶手段に記憶された台形補正値の変更処理の開始を操作手段により指示したときに、ユーザにパスワードの入力を促した後、ユーザにより入力されたパスワードと記憶手段に記憶されているパスワードとを比較する。そして、これらのパスワードが一致している場合、ユーザに台形補正値の変更入力を許可し、これらのパスワードが一致していない場合、記憶手段に記憶された起動パスワード要求フラグをオンにした後、装置本体の電源をオフ状態にする。そのため、本発明のプロジェクタが盗難されても、盗難者が、記憶手段に記憶されているパスワードを入力しなければ、設置位置に合わせて台形補正値の変更をすることができない。従って、盗難者による不正使用を防止することができるので、盗難を防止することができる。
【００１０】
また、制御手段は、装置起動時においては、起動パスワード要求フラグがオンのときに限り、ユーザにパスワードの入力を促すため、起動パスワード要求フラグがオフである通常使用の際、ユーザにパスワードの入力を促すことがない。そのため、ユーザによる操作負担を軽減させることができる。また、従来のプロジェクタのように角度センサを備える必要がないので、製造コストを低減させることができる。
【００１１】
請求項２の発明によれば、制御手段は、ユーザが記憶手段に記憶された調整値の変更処理の開始を操作手段により指示したときに、ユーザにより入力されたパスワードと記憶手段に記憶されているパスワードとを比較し、これらのパスワードが一致している場合、ユーザに調整値の変更入力を許可する。そのため、本発明のプロジェクタが盗難されても、盗難者が、記憶手段に記憶されているパスワードを入力しなければ、設置位置に合わせて台形補正値の変更をすることができない。従って、盗難者による不正使用を防止することができるので、盗難を防止することができる。また、従来のように角度センサを備える必要がないので、製造コストを低減させることができる。
【発明を実施するための最良の形態】
【００１２】
以下、本発明の一実施形態に係るプロジェクタについて、図１を参照して説明する。図１は、プロジェクタ１の内部構成を示す。プロジェクタ１は、例えばパーソナルコンピュータやビデオカメラなどから入力された画像データを用いて画像を形成し、形成した画像を、プロジェクタ１の前方に設けられたスクリーンなどに拡大して投影する装置である。
【００１３】
プロジェクタ１は、パーソナルコンピュータやビデオカメラ等から出力された画像データが入力される信号入力端子１６と、ユーザによって操作されるリモコン（操作手段）２から送信されたコード信号を受信するリモコン受信部１７と、画像投影用の光を出射するランプ１３ａ（光源）を有するランプユニット１３（画像投影手段）と、マイクロミラー素子から構成され、ランプ１３ａから出射された光を用いて、信号入力端子１６から入力された画像データに基づく画像を生成するＤＭＤ（画像形成素子）１２と、ランプ１３ａを冷却するための空気を送風するファン１４ａを有するファンユニット１４と、各種情報を記憶するためのメモリ（記憶手段）１５と、装置各部を制御する制御部（制御手段）１１とを備える。
【００１４】
メモリ１５には、プロジェクタ１の正当な使用者か否かを判断するためのパスワードと、ランプユニット１３から投影する画像をプロジェクタ１本体の傾きに応じて補正するための台形補正値（請求項２における調整値）と、プロジェクタ１の起動時にユーザにパスワード入力を求めるか否かの情報である起動パスワード要求フラグと、後述する盗難防止機能のオン／オフ状態とが記憶されている。
【００１５】
リモコン２は、プロジェクタ１に対する各種の操作を指示するためのものであり、ユーザによって操作される複数の操作キー２１を有している。ユーザは、リモコン２を操作することにより、パスワードの入力や、台形補正値の入力や、台形補正値を変更するときにパスワードの入力を求める盗難防止機能のオン／オフ状態の切換え等をプロジェクタ１に対して指示する。リモコン２は、ユーザによる操作に対応したコード信号を赤外線信号でプロジェクタ１に送信する。
【００１６】
リモコン受信部１７は、リモコン２から送信されたコード信号である赤外線信号を受光し、この赤外線信号を対応する電気パルス信号に変換して制御部１１へ出力する。
【００１７】
制御部１１は、ＤＭＤ１２にミラー駆動用信号及びＤＭＤ制御信号を、ランプユニット１３にランプ１３ａのオン／オフ制御信号を、ファンユニット１４にファン１４ａの回転速度制御信号をそれぞれ送信している。制御部１１は、メモリ１５に記憶された台形補正値に基づいてパーソナルコンピュータやビデオカメラなどから出力される画像データを補正してスクリーン等に投影する。また、制御部１１は、リモコン受信部１７から受信した電気パルス信号に基づいて、リモコン２から出力されたコード信号の内容を判断し、装置各部の動作を制御する。
【００１８】
次に、メモリ１５に記憶される台形補正値について、図２を参照して説明する。図２は、天井３に常設されたプロジェクタ１を横から見た状態を示す。スクリーン４は、天井３に対して垂直に設置されている。プロジェクタ１は、図２に示すように、スクリーン４に対して正面から傾きの無い状態で画像を投影することができないので、スクリーン４に投影された画像は、台形状態に歪んでしまう。制御部１１は、プロジェクタ１が天井３に対して斜めに傾いている角度ｒに応じた台形補正値に基づき画像を水平方向と垂直方向に歪み補正し、補正した画像をスクリーンに投影する。そのため、スクリーン４に投影された画像は、スクリーン４に対して正面から傾きの無い状態で投影されたような画像となる。なお、角度ｒに基づく台形補正値はメモリ１５に記憶されており、通常、角度ｒが変更されない限り台形補正値は変更されない。
【００１９】
次に、プロジェクタ１の初期設定処理について、図３に示すフローチャートを参照して説明する。まず、プロジェクタ１の設置姿勢から、ユーザによりリモコン２が操作されて、台形補正値が入力されると（Ｓ１）、制御部１１は、入力された台形補正値をメモリ１５に記憶させる（Ｓ２）。そして、ユーザによりリモコン２が操作されて、盗難防止機能がオン状態に設定され（Ｓ３）、パスワードが入力されると（Ｓ４）、制御部１１は、入力されたパスワードをメモリ１５に記憶させて（Ｓ５）、処理を終了する。なお、上記Ｓ４で、ユーザは、プロジェクタ１の起動時にユーザに入力を促す「起動パスワード」と、その他の設定を変更する際にユーザに入力を促す「パスワード」の２種類を入力するものとする。この２種類のパスワードは同一のものであってもよい。また、各種設定の変更の種類に応じて、２種類以上のパスワードがユーザにより入力されて、入力されたパスワードがメモリ１５に記憶されてもよい。
【００２０】
次に、プロジェクタ１の起動時の処理について、図４に示すフローチャートを参照して説明する。プロジェクタ１が起動すると、制御部１１は、メモリ１５に記憶された起動パスワード要求フラグがオンかオフかをチェックし（Ｓ１１）、起動パスワード要求フラグがオンの場合（Ｓ１２でＹＥＳ）、ユーザに起動パスワードの入力を促した後（Ｓ１３）、ユーザにより入力された起動パスワードとメモリ１５に記憶されている起動パスワードとが一致しているか否かを比較する（Ｓ１４）。この結果、これらの起動パスワードが一致している場合（Ｓ１５でＹＥＳ）、ユーザに装置の使用を許可する（Ｓ１６）。
【００２１】
一方、上記Ｓ１４の比較の結果、これらのパスワードが一致していない場合（Ｓ１５でＮＯ）、制御部１１は、プロジェクタ１をシャットダウンし、装置本体の電源をオフ状態にする（Ｓ１７）。また、上記Ｓ１１の判断の結果、起動パスワード要求フラグがオフの場合（Ｓ１２でＮＯ）、制御部１１は、上記Ｓ１２〜上記１５の処理を行わないで、上記１６の処理を行う。
【００２２】
次に、台形補正値の変更処理について、図５に示すフローチャートを参照して説明する。ここでは、すでに、プロジェクタ１は上記図４に示した処理により使用可能状態であり、ユーザによりメモリ１５に記憶された台形補正値の変更処理の開始が指示されているものとする。まず、制御部１１は、盗難防止機能がオン状態であるか否かを判断し（Ｓ２１）、盗難防止機能がオン状態である場合（Ｓ２２でＹＥＳ）、ユーザにパスワードの入力を促した後（Ｓ２３）、ユーザにより入力されたパスワードとメモリ１５に記憶されているパスワードとが一致しているか比較する（Ｓ２４）。
【００２３】
上記Ｓ２４の比較の結果、パスワードが一致している場合（Ｓ２５でＹＥＳ）、制御部１１は、ユーザに台形補正値の変更入力を許可し（Ｓ２６）、ユーザにより変更したい台形補正値が入力される。一方、上記２４の結果、パスワードが一致していない場合（Ｓ２５でＮＯ）、制御部１１は、メモリ１５に記憶された起動パスワード要求フラグをオンにした後（Ｓ２７）、プロジェクタ１をシャットダウンし、装置本体の電源をオフ状態にする（Ｓ２８）。
【００２４】
上記２１の結果、盗難防止機能がオフ状態の場合（Ｓ２２でＮＯ）、制御部１１は、上記Ｓ２３以降の処理を行わないで処理を終了する。
【００２５】
上記のように、本発明の一実施形態に係るプロジェクタ１によれば、プロジェクタ１の起動時に、制御部１１がメモリ１５に記憶された起動パスワード要求フラグがオンかオフかをチェックし、起動パスワード要求フラグがオフの場合、起動パスワードのチェックを行うことなしに、ユーザに装置の使用を許可する。そのため、起動パスワード要求フラグがオフである通常使用時に、ユーザによるパスワード入力の操作負担を軽減させることができる。
【００２６】
また、制御部１１は、盗難防止機能がオン状態であって、かつ、ユーザがメモリ１５に記憶された台形補正値の変更処理の開始を指示したときに、ユーザにパスワードの入力を促した後、ユーザにより入力されたパスワードとメモリ１５に記憶されているパスワードとを比較する。そして、これらのパスワードが一致している場合、ユーザに台形補正値の変更入力を許可し、これらのパスワードが一致していない場合、メモリ１５に記憶された起動パスワード要求フラグをオンにした後、装置本体の電源をオフ状態にする。そのため、プロジェクタ１が盗難されても、盗難者が、メモリ１５に記憶されているパスワードを入力しなければ、設置位置に合わせて台形補正値の変更をすることができない。従って、盗難者による不正使用を防止することができるので、盗難を防止することができる。
【００２７】
また、プロジェクタ１は、従来のプロジェクタのように角度センサを備える必要がないので、製造コストを低減させることができる。
【００２８】
なお、本発明は、上記実施形態の構成に限定されるものではなく、発明の趣旨を変更しない範囲で種々の変更が可能である。例えば、上記実施形態では、ユーザがリモコン２を用いて、パスワード等の入力を行ったが、これに限られず、プロジェクタ本体に操作用のボタン等を設け、ユーザがこれを用いてパスワード等の入力を行ってもよい。
【図面の簡単な説明】
【００２９】
【図１】本発明の一実施形態に係るプロジェクタの構成を示すブロック図。
【図２】上記プロジェクタの設置状態を示す説明図。
【図３】上記プロジェクタの初期設定処理の手順を示すフローチャート。
【図４】上記プロジェクタの起動時の処理の手順を示すフローチャート。
【図５】上記プロジェクタの台形補正値の変更処理の手順を示すフローチャート。
【符号の説明】
【００３０】
１  プロジェクタ
２  リモコン（操作手段）
１１  制御部（制御手段）
１２  ＤＭＤ（画像形成素子）
１３  ランプユニット（画像投影手段）
１３ａ  ランプ（光源）
１４  ファンユニット
１４ａ  ファン
１５  メモリ（記憶手段）
１６  信号入力端子
１７  リモコン受信部
【図１】
2008225594.tif 000003
【図２】
2008225594.tif 000004
【図３】
2008225594.tif 000005
【図４】
2008225594.tif 000006
【図５】
2008225594.tif 000007